(57)【要約】      （修正有）【課題】安全かつ簡単に高さと傾斜角度を調整できるテレビ取り付け装置を提供する。【解決手段】支柱１に沿って薄型テレビ１４を上下することで使用目的にあった角度に成るように、ハンドルやモーターでスクリュウボルト５を回転させるとスクリュウナット６が上下し上下機構３の伝動軸１１がベアリング取付け金具８の孔１２によりベアリング４ａ〜４ｄは傾斜角度調整ガイド板２の面に沿って上下するとテレビの自重でベアリング取付金具８が傾斜しテレビも視線にあつた角度に傾斜する。【選択図】図１
0003163025.tif 000002
【実用新案登録請求の範囲】
【請求項１】
薄型テレビ、ディスプレイを取り付けた支持台が上下機構の複数個のベアリング（車輪、タイヤ、リング）が支柱ガイド又は段階的に細くなる支柱に沿って上下すると支持台が傾斜するテレビ取り付け装置
【請求項２】
支柱や補助支柱（金具）に上下で寸法が異なるように調整した溝及びガイドに沿って傾斜角度が取れて、上げ下して支持台が傾斜するテレビ取り付け装置
【考案の詳細な説明】
【技術分野】
【０００１】  本考案は、薄型テレビやディスプレイを垂直に立てた支柱に沿って上下することで傾斜角を変えることができる、テレビ取り付け装置に関するものである。
【背景技術】
【０００２】従来は壁取り付けにするなどの方法で手の届く範囲でテレビの高さや、角度を調整できるものはあるが壁の強度や障害物（棚）がある場合は設置できないなど限定された、支柱に沿って上げ下げをする事で画面にタッチ出来る高さの時は画面が垂直になり、高く上げた時には画面が見やすい角度に傾斜する物はなかった。
【先行技術文献】
【特許文献】
【０００３】
【特許文献１】特開２００８−１６７２３２
【特許文献２】特開２００９−１８２９５２
【非特許文献】
【０００４】
【非特許文献１】ハヤミ工産株式会社  ホームシアターファニチャー総合カタログ  ２００９年Ｊａｎ．２００９、Ｐ．１１．２３．２５
【非特許文献２】株式会社オーエス  ＧＥＮＥＲＡＬ  ＣＡＴＡＲＯＧＵ  ＶＯＬ１５．Ｐ．９３．．９５．９７．
【考案の概要】
【考案が解決しようとする課題】
【０００５】  薄型テレビにタッチパネルを取付け電子黒板として使用する際にテレビやディスプレイを▲１▼棚上に設置、▲２▼天井吊りに取付けると手が届かない、▲３▼壁取付け（イ、固定型、ロ、傾斜固定取付型、ハ、方向自在型）は既設の建物、教室では、壁の強度が取れないことや棚があったりして設置できない▲４▼キャスター付テレビスタンドは電子黒板用として多く採用されておりますが、スタンドの足が邪魔で危険だとか、高さや傾斜角度を固定しているボルト位置を変えるにはテレビを取付けた状態では、角度調整や高さを児童の身長に合わせる事ができない、これらのテレビスタンドではテレビを電子黒板として使用することが難しい。
【課題を解決するための手段】
【０００６】本考案は、場所をとらずに支柱に沿って薄型テレビやディスプレイを低い位置から高い位置まで上げ下げし、傾斜角ボルトやナットを緩めたり、はずしたりしないで上下することで、傾斜角度を決められないかであった、上下機構がガイドに沿って移動するとテレビの自重で傾斜する。ボルトで固定されているテレビ台の場合と違い定められた傾斜や、垂直にすることが出来る薄型テレビ取付け装置であり、固定取り付けのみでなく移動型にも取付けることが出来る。
【考案の効果】
【０００７】薄型テレビが高所のときには下向きに傾斜して仰ぎ角度が視線に合い見やすくなる、また電子黒板として使用するときには下に降ろすと垂直になり身長に合わせて高さもタッチし易い位置に調整できる。支柱を立てることにより床に固定することで壁の強度についても壁取付け型より安全に設置でき、取り付け位置についても広い場所をとらずに設置できる。
【図面の簡単な説明】
【０００８】
【図１】  本考案の上下可動で傾斜角を変えられる薄型テレビ取付け装置の実施例の構造図である。
【図２】  本考案の機構部の断面図と傾斜と垂直になる時の比較図である。
【図３】  本考案の２脚式の上下可動で傾斜角を変えられる薄型テレビ取付け装置の実施図である。
【図４】  本考案の１脚式の上下可動で傾斜角を変えられる薄型テレビ取付け装置の実施図である。
【図５】  本考案のキャスター付の移動型上下可動で傾斜角を変えられる薄型テレビ取付け装置の実施図である。
【考案を実施するための形態】
【０００９】  上下機構も標準品のスクリュウボルト５、スクリュウナット６とウオームギャーを組み合わせて使用し、落下防止のブレーキ装置も取り付けることがなく安全に定めた位置に止めて置くことができる、ベアリング４は市販品で荷重に耐えガイド２に沿って回転し上下することができた。支柱１、に傾斜角調整ガイド板２、の取付けにより薄型テレビを上下すると使用目的位置で傾斜や、垂直にすることができる。
【実施例】
【００１０】  図３は２脚式の上下可動で傾斜角を変えられるテレビ取付け装置で、教室における安全面を考慮して２脚式にしたものです。
図４は１脚式のもので上下機構の内臓部を１軸として考案した、上下可動で傾斜を変えられるテレビ取付け装置です。
図５は移動型キャスター付の上下可動で傾斜角度を変えられるテレビ取付け装置である。
【産業上の利用可能性】
【００１１】  教育現場の教室においてテレビにタッチパネルを取付け電子黒板として使用するには教室が狭く取り付ける場所が限定され、また安全面でも規制されるため薄型テレビやディスプレイを上下し簡単に視線に合った傾斜角度で画面を見やすくし、電子黒板として使用する時には画面が垂直になりタッチしやすくなるように、テレビ、ディスプレイを児童の身長に合った高さに調整ができる取付け装置が求められています。
【符号の説明】
【００１２】  １  支柱
２  傾斜角調整用ガイド板
３  上下機構
４  ベアリング  （複数個）又はタイヤ、車輪、リング
５  スクリュウボルト
６  スクリュウナット
７  テレビ、ディスプレイ取り付け金具
８  ベアリング取付金具
９  上限設定ナット
１０  下限設定ナット
１１  上下機構とベアリング取り付け金具の伝動部
１２  伝動部スライド孔
１３  ベアリング間寸法
１４  テレビ、ディスプレイ
１５  テレビ、ディスプレイ自重
１６  振止リング
１７  振止ガイド
【図１】
0003163025.tif 000003
【図２】
0003163025.tif 000004
【図３】
0003163025.tif 000005
【図４】
0003163025.tif 000006
【図５】
0003163025.tif 000007
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
テレビやディスプレイを接続したテレビ、ディスプレイ取付け金具に接続されているベアリング取付け金具の複数個のベアリングが支柱および支柱に取付けられた傾斜角調整用ガイド板に沿って上下するとテレビ、ディスプレイ取付け金具およびテレビやディスプレイが傾斜するテレビ取り付け装置
【手続補正３】
【補正対象書類名】明細書
【補正対象項目名】０００１
【補正方法】変更
【補正の内容】
【０００１】本考案は、テレビやディスプレイを垂直に立てた支柱に沿って上下することでテレビやディスプレイの向き、すなわち傾斜角を変えることができるテレビ取付け装置に関するものである。
【手続補正４】
【補正対象書類名】明細書
【補正対象項目名】０００２
【補正方法】変更
【補正の内容】
【０００２】従来は壁に取付けたり、スタンドを設置して手の届く範囲でテレビの高さや、向きすなわち傾斜角を調整できるものであった。
【手続補正５】
【補正対象書類名】明細書
【補正対象項目名】０００５
【補正方法】変更
【補正の内容】
【０００５】テレビやディスプレイを▲１▼棚上に設置、▲２▼天井吊りに取付けると手が届かない、▲３▼壁に取付け（イ、固定型、ロ、傾斜固定取付型、ハ、方向自在型）ると既設の建物、教室では、壁の強度が取れないことや棚があったりして設置できない、▲４▼キャスター付テレビスタンドは多く採用されていますが、スタンドの足が邪魔で危険だとか、高さや傾斜角度を固定しているボルト位置を変えるにはテレビを取付けた状態では難しいといった問題があった。
【手続補正６】
【補正対象書類名】明細書
【補正対象項目名】０００６
【補正方法】変更
【補正の内容】
【０００６】本考案は支柱１に沿ってテレビ、ディスプレイ１４を上下することでテレビ、ディスプレイ１４を使用目的にあった傾斜角度に成るように、ハンドルやモーターでスクリュウボルト５を回転させるとスクリュウナット６が上下し、それに合わせてスクリュウナット６と溶接で固定されている上下機構３が上下する。上下機構３とベアリング取付け金具８が、ベアリング取付け金具８が可動できるように上下機構とベアリング取付け金具の伝動部１１と長穴の形状となっている伝動部スライド孔１２で接続されているので、ベアリング４ａ，４ｂ，４ｃ，４ｄが傾斜角調整ガイド板２の面に沿って上がるとテレビ、ディスプレイ１４の自重でベアリング取付け金具８が傾斜しテレビ、ディスプレイ１４が人の視線にあつた角度に傾斜する。テレビ、ディスプレイ１４を傾斜角調整ガイド板２の面に沿って下げると垂直になり人の身長に合せて操作しやすい高さに調整ができる。
【手続補正７】
【補正対象書類名】明細書
【補正対象項目名】０００７
【補正方法】変更
【補正の内容】
【０００７】テレビやテレビにタッチパネルを取付けた電子黒板やディスプレイが高所のときには下向きに傾斜して仰ぎ角度が視線に合い見やすくなり、下に降ろすと垂直になって身長に合わせて高さも操作し易い位置に調整できる。床に固定することで壁取付け型より安全に設置でき、取付け位置についても広い場所を取らずに設置できるようになった。
【手続補正８】
【補正対象書類名】明細書
【補正対象項目名】０００９
【補正方法】変更
【補正の内容】
【０００９】図１において上下機構は標準品のスクリュウボルト５、スクリュウナット６とウオームギャーを組み合わせて使用し、落下防止のブレーキ装置も取付けることがなく安全に定めた位置に止めて置くことができる。ベアリング４ａ，４ｂ，４ｃ，４ｄは市販品で荷重に耐え傾斜角調整用ガイド板２に沿って回転し上下することができる。支柱１に傾斜角調整ガイド板２を取付けることによりテレビ、ディスプレイ取付け金具７とベアリング取付け金具８に取付けられたテレビ、ディスプレイ１４を上下すると使用目的位置で傾斜させたり、垂直にすることができる。
【手続補正９】
【補正対象書類名】明細書
【補正対象項目名】００１１
【補正方法】変更
【補正の内容】
【００１１】教育現場の教室においてテレビやテレビにタッチパネルを取付けた電子黒板やディスプレイを使用するには教室が狭く取り付ける場所が限定され、また安全面でも規制されるため、上げた時には簡単に視線に合った傾斜角度で画面を見やすくし、下げた時には画面が垂直になりタッチしやすくなるように、テレビ、電子黒板、ディスプレイを児童の身長に合った高さに調整ができる取付け装置が求められています。
【手続補正１０】
【補正対象書類名】明細書
【補正対象項目名】００１２
【補正方法】変更
【補正の内容】
【００１２】１  支柱
２  傾斜角調整用ガイド板
３  上下機構
４ａ，４ｂ，４ｃ，４ｄ  ベアリング
５  スクリュウボルト
６  スクリュウナット
７  テレビ、ディスプレイ取付け金具
８  ベアリング取付け金具
９  上限設定ナット
１０  下限設定ナット
１１  上下機構とベアリング取付け金具の伝動部
１２  伝動部スライド孔
１３  ベアリング間寸法
１４  テレビ、ディスプレイ
１５  テレビ、ディスプレイ自重
１６  振止リング
１７  振止ガイド